(57)【要約】【課題】数少ないボタンでオートリダイアル機能に関する操作を可能とし、しかも不用意にオートリダイアル動作が開始されない新規な携帯電話機を提供する。【解決手段】オートリダイアル発信ボタン２２を所定時間以上押下し続けた場合にはリダイアル動作を行う。一方、所定時間未満しか押下されない場合には予め設定されたリダイアル動作内容を表示する。また、オートリダイアル発信ボタン２２は携帯電話機の筐体隅部に設けられる。【選択図】図１
2004048790.tif 000002
【特許請求の範囲】
【請求項１】
　オートリダイアルボタンを押下することにより、予め設定されたリダイアル動作内容に従ってリダイアル動作を行うことのできる携帯電話機において、
　前記オートリダイアルボタンを所定時間以上押下し続けた場合には前記リダイアル動作を行い、一方、所定時間未満しか押下されない場合には前記予め設定されたリダイアル動作内容を表示することを特徴とする携帯電話機。
【請求項２】
　オートリダイアルボタンを押下することにより、予め設定されたリダイアル動作内容に従ってリダイアル動作を行うことのできる携帯電話機において、
　前記オートリダイアルボタンは前記携帯電話機の筐体隅部に設けられることを特徴とする携帯電話機。
【請求項３】
　所定ボタンを押下することにより、予め設定された動作内容に従って通信動作を行うことのできる携帯電話機において、
　前記ボタンを所定時間以上押下し続けた場合には前記通信動作を行い、一方、所定時間未満しか押下されない場合には前記通信動作に関連する情報を表示することを特徴とする携帯電話機。
【請求項４】
　請求項３に記載の携帯電話機において、
　前記通信動作に関連する情報は、前記予め設定された動作内容であることを特徴とする携帯電話機。
【発明の詳細な説明】
【技術分野】
【０００１】
　本発明は携帯電話機に関し、特に新規なオートリダイアル機能を搭載した新規な携帯電話機に関する。
【背景技術】
【０００２】
　近年、通信機器や通信接続費用の低価格化等の諸要因により、携帯電話機（本明細書ではセルラフォンやＰＨＳ等のすべての携帯可能な電話機を、単に「携帯電話機」ということにする）が急速に普及している。
【０００３】
　かかる携帯電話機には、従来よりオートリダイアル機能またはオートダイアル機能を備えるものがある。例えば特開平１０−１６４２０８号公報には、非常発報スイッチを操作するとＲＯＭに登録した非常発報先電話番号をダイアリングする携帯電話機が開示されている。同公報に開示された技術によれば、非常発報（緊急連絡通報）を迅速且つ確実に行えるようになる。
【０００４】
　また、特開平１０−２８５２９４号公報には、予めユーザの音声メッセージを記憶しておき、所定の発呼キーが押下されると、予め登録した相手先電話番号に対して発呼を行い、通話接続後はその予め記憶した音声メッセージを自動的に相手先に送信することのできる携帯電話機が開示されている。同公報に開示された技術によれば、利用者のマナーとして発呼を遠慮すべき状況下においても、周囲への迷惑にならずに音声メッセージを送信することができるため、携帯電話機の利用価値を向上させることができる。
【０００５】
　また、携帯電話機でなくともリダイアル機能は設けられることは多く、例えば特開平８−２３３７０号公報には、発呼動作を予め設定した回数だけ繰り返して実行し、相手とつながるまで一連の発呼動作、リダイアル動作を継続することのできる自動ダイアル電話装置が開示されている。同公報に開示された技術によれば、簡易な操作により所望の相手先に繰り返して通話接続を試みることができるようになり、例えば電話によりチケット予約をする場合等におけるユーザの手間を軽減することができる。
【０００６】
　さらに、特開平１０−１０７８８６号公報にも、通常の電話装置に関連して、上記特開平１０−２８５２９４号公報と同様の技術が開示されている。同公報に開示された技術では、特に、自動発呼に対して相手先が応答すると、送信メッセージを送信し、相手先が応答したことを表示部に表示するようにしているため、メッセージの送信完了または未完了をユーザが容易に確認することができる。
【０００７】
【特許文献１】特開平１０−１６４２０８号公報
【特許文献２】特開平１０−２８５２９４号公報
【特許文献３】特開平８−２３３７０号公報
【特許文献４】特開平１０−１０７８８６号公報
【発明の開示】
【発明が解決しようとする課題】
【０００８】
　しかしながら、上記従来技術には以下のような問題がある。
【０００９】
（１）携帯電話機では、装置の小型化及び操作性の向上の観点から、オートリダイアル機能を起動するためのボタンをオートリダイアル機能に関する種々の操作のために流用することが望ましく、さらに不用意にオートリダイアル機能が起動され、通信が開始されてしまうことを回避する配慮が必要となるが、そのような配慮はない。
【００１０】
（２）列車内等での混雑時にも鞄やポケット等から携帯電話機を取り出さずともオートリダイアル機能を利用することができ、また緊急時にも即座にオートリダイアル機能を利用することができるような特別の配慮がない。例えば、特開平１０−２８５２９４号公報に開示された技術では発呼キーを押下することにより、オートリダイアル及びメッセージ送信がなされるが、この発呼キーを目で確認することなく確実に押下できるようにするための配慮はなんらなされていない。
【００１１】
　本発明は上記課題に鑑みてなされたものであって、第１の目的は、数少ないボタンでオートリダイアル機能に関する操作を可能とし、しかも不用意にオートリダイアル動作が開始されない新規な携帯電話機を提供することにある。
【００１２】
　また、第２の目的は、混雑時にも鞄やポケット等から携帯電話機を取り出さずともオートリダイアル機能を利用することができ、また緊急時にも即座にオートリダイアル機能を利用することができる新規な携帯電話機を提供することである。
【課題を解決するための手段】
【００１３】
（１）上記課題を解決するために、本発明は、オートリダイアルボタンを押下することにより、予め設定されたリダイアル動作内容に従ってリダイアル動作を行うことのできる携帯電話機において、前記オートリダイアルボタンを所定時間以上押下し続けた場合には前記リダイアル動作を行い、一方、所定時間未満しか押下されない場合には前記予め設定されたリダイアル動作内容を表示することを特徴とする。
【００１４】
　さらに、本発明は、所定ボタンを押下することにより、予め設定された動作内容に従って通信動作を行うことのできる携帯電話機において、前記ボタンを所定時間以上押下し続けた場合には前記通信動作を行い、一方、所定時間未満しか押下されない場合には前記通信動作に関連する情報を表示することを特徴とする。前記通信動作に関連する情報としては、前記予め設定された動作内容を採用してもよい。
【００１５】
　本発明によれば、一つのボタン（オートリダイアルボタン等）により、異なる二つの動作を選択的に行わせることができるようになるため、携帯電話機の操作性を向上させることができるようになる。また、ボタン数を削減することにより、携帯電話機の小型化を図ることができるようになる。さらに、通信動作（オートリダイアル動作等）を行うには所定時間以上ボタンを押下し続けなければならないため、不用意に通信動作が開始されてしまうという事態を回避できる。また、操作に不案内なユーザが取りあえずボタンを押下してみた場合には、その通信動作に関連する情報がディスプレイ等に表示されるため、その表示によりユーザは例えば当該ボタンがどのような機能に割り当てられたものかといった情報を知ることができるようになる。
【００１６】
（２）また、本発明は、オートリダイアルボタンを押下することにより、予め設定されたリダイアル動作内容に従ってリダイアル動作を行うことのできる携帯電話機において、前記オートリダイアルボタンは前記携帯電話機の筐体隅部に設けられることを特徴とする。
【００１７】
　本発明ではオートリダイアルボタンが携帯電話機の筐体隅部に設けられるため、ユーザがオートリダイアルボタンを目で確認せずとも、手探りでオートダイアルボタンを押下することができる。このため、緊急時や混雑時或いは暗闇にいる時にも、容易にオートリダイアルボタンを押下することができる。
【発明を実施するための最良の形態】
【００１８】
　以下、本発明の好適な実施の形態について図面に基づいて詳細に説明する。
【００１９】
（１）構成
　図１に本発明の一実施の形態に係る携帯電話機の外観を、図２にその内部回路の概要を、それぞれ示す。図１（ａ）中、筐体の前面には上から順にスピーカ１０、表示部１２、各種のボタン、並びにマイク１４が設けられている。なお、図中には現れないが、本実施の形態に係る携帯電話機にはバイブレータ（図２における符号１１）が内蔵されており、各種報知を振動によっても行うことができるようになっている。筐体前面に設けられているボタンとしては、各種の数字や記号が割り当てられているボタンの他に、回線接続時等に操作するオフフックボタン１６、電源投入時、回線切断時等に操作するオンフックボタン１８、後退操作等に使用できるクリアボタン２０、オートリダイアル発信等に用いるオートリダイアル発信ボタン２２等がある。オートリダイアル発信ボタン２２は本携帯電話機の特徴的機能であるオートリダイアル機能を起動するためのボタンであり、これについては後に詳述する。
【００２０】
　更に、筐体頂部にはアンテナ２４が、筐体側面には機能選択キー２６が、それぞれ設けられている。機能選択キー２６は、図１（ｂ）に示すように押し上げ操作されている状態、図１（ｃ）に示すように垂直押し操作されている状態、図１（ｄ）に示すように押し下げ操作されている状態、並びに何も操作が行われていない状態という４状態を採り得る。押し上げ操作・押し下げ操作は後述の選択操作の際に、垂直押し操作はメニュー表示の呼出や決定操作の際に、それぞれ行われる。
【００２１】
　図２においては、音声の変復調、無線信号の変復調等や各種の付加機能的処理を実行する回路が、処理回路２８として描かれている。処理回路２８は、ＡＳＩＣ等から構成される。メモリ３０は、処理回路２８を動作させるためのソフトウエアの格納や、処理回路２８の動作のための作業記憶領域として用いられ、ＥＥＰＲＯＭ、ＲＡＭ等から構成される。図中、３２は、図１に示した各種のボタンや機能選択キー２６を含む操作部である。例えば、使用者が任意の相手に電話をかける場合、アンテナ２４を図１（ａ）中で上方向に伸ばし、オンフックボタン１８を操作して電源を入れ、数字のボタンを操作して電話番号を入力し（入力間違いはクリアボタン２０の操作により削除し）、オフフックボタン１６を操作する。処理回路２８は、これに応じアンテナ２４を用いて発呼動作を実行する。処理回路２８は、相手に着信するとＬＣＤ等の表示部１２の画面上に“通話中”等と表示させる。通話終了時は、使用者はオンフックボタン１８を操作する。処理回路２８は、これに応じて切断処理を実行する。
【００２２】
（２）オートリダイアル機能
　本実施形態に係る携帯電話機の特徴は、そのオートリダイアル機能にある。図１に示されるように、本携帯電話機には筐体の隅部にオートリダイアル発信ボタン２２が設けられている。このように、筐体の隅部にオートリダイアル発信ボタン２２を設けることにより、ユーザは携帯電話機を鞄やポケットから取り出すことなく、手探りで該オートリダイアル発信ボタン２２を押下することができるようになる。このため、電車内等で混雑した状況においても手探りでオートリダイアル発信ボタン２２を押下することができる。また、緊急時においても、オートリダイアル発信ボタン２２を確実に押下することができるようになる。
【００２３】
　本実施の形態に係る携帯電話機によれば、このオートリダイアル発信ボタン２２を押下するだけで、予め登録した電話番号に対して自動的に電話をかけることができる。即ち、このオートリダイアル発信ボタン２２を押下するだけで、単一のボタン操作で所望の相手先に対して確実に電話をかけることができるのである。
【００２４】
　また、このオートリダイアル発信ボタン２２には、具体的には２つの処理が割り付けられている。即ち、オートリダイアル発信ボタン２２を所定時間（ここでは２秒とする）以上押下し続けた場合には、上述のように予め登録した電話番号に対して自動的に電話がかけられる。この際の発呼はオートリダイアルされ、相手先が応答するまで所定時間間隔かつ所定回数に亘り繰り返し自動発呼がなされる。一方、所定時間未満（即ち２秒未満）でオートリダイアル発信ボタン２２の押下が止められた場合には、現在設定されているオートリダイアル機能の詳細が表示部１２に表示される。このように、オートリダイアル発信ボタン２２に対し、オートリダイアル機能に関する２つの処理を割り付けることにより、携帯電話機の操作性をさらに向上させることができる。また、１つのボタンに対して２つの処理を割り付けることにより、携帯電話機のボタン数を削減することができ、携帯電話機の小型化を図ることができる。
【００２５】
　ここで、本実施の形態に係る携帯電話機のオートリダイアル機能に関し、接続動作の設定手順を説明する。
【００２６】
　本実施の形態に係る携帯電話機においてオートリダイアル機能の接続動作を設定する場合には、図１における機能選択キー２６を同図（ｃ）のようにして垂直押しする。その後、例えば「４０３」等の接続動作設定のためのメニュー群に対して割り付けられた番号を、操作部３２のテンキーにより押下する。これにより、図３（ａ）のような画面が表示部１２に現れる。表示部１２は４段の文字表示ができるようになっており、３，４段目に現在の設定が表示される。同図では、オートリダイアル発信を使用しない状態に現在の設定がされていることが示されている。ここで、再度機能選択キー２６を垂直押しすると、同図（ｂ）のように暗証番号入力画面が現れる。これに対して、操作部３２のテンキーにより予め設定した暗証番号を入力する。このように暗証番号の入力を要求することで、オートリダイアル機能をより安全に使用することができるようになる。暗証番号の入力が終われば、次に、機能選択キー２６を上げ下げして、リダイアル回数を選択する。即ち、機能選択キー２６の操作により操作部３２から処理回路２８に対して操作情報が与えられ、処理回路２８はそれに従い、「応答するまで最大３回発信」、「応答するまで最大６回発信」、・・・「応答するまで最大１５回発信」、「使用しない」といった文字を順次同図（ｃ）のようにして表示部１２に表示させる。ユーザが所望のリダイアル内容を選択すると、次に機能選択キー２６を垂直押しする。これにより、リダイアル回数が設定される。
【００２７】
　また、オートリダイアル発信ボタン２２による発呼先については、メモリ３０の所定記憶領域（例えば電話帳の登録Ｎｏ．「０００番」）に登録するようになっている。この場合、該所定記憶領域に電話番号の登録がない場合には、オートリダイアル発信ボタン２２を押下することにより、直ちに相手先の登録画面が現れる。これにより、相手先が設定されていないのにオートリダイアル発信ボタン２２が押下された場合にも、速やかに相手先の登録がない旨をユーザに知らせることができ、より操作性を向上させることができる。
【００２８】
　次に、オートリダイアル発信ボタン２２を利用して相手先に電話がつながった後の動作を設定する手順について説明する。
【００２９】
　この場合、まず機能選択キー２６を垂直押し操作する。その後、通話中動作を設定するためのメニュー群に割り付けられた、例えば「４０４」等の番号を操作部３２のテンキーにより押下する。これにより、図４（ａ）のような画面が表示部１２に現れる。この場合にも同様に、３，４段目に現在の設定内容が表示される。続いて、機能選択キー２６を上げ下げすることにより、通話中の動作内容が順次表示部１２の３，４段目に表示される。具体的には、「拡声モードＯＮ」、「メッセージ＊回」、「拡声モードＯＮ→メッセージ＊回」、「メッセージ＊回→終話」、「メッセージ＊回→伝言メモ録→終話」、「通常通話」等のメニューが順次表示部１２の３，４段目に表示される。ここで、＊印は１，３，５等の数字が順に挿入される。ユーザが機能選択キー２６を上げ下げして所望の通話中動作を設定選択すると、次に機能選択キー２６を垂直押しする。これにより、現在表示部１２に表示されている内容で、オートリダイアル発信ボタン２２による通話接続後の動作内容が確定する。
【００３０】
　ここで、「拡声モードＯＮ」とは、受話口からの音量とマイク感度を上げるための設定である。この設定によれば、ユーザはオートリダイアル後に電話機を手に取らずとも、相手側からの音声を聞き取ることができ、またそれに対する応答を携帯電話機を手に取ることなく行えるようになる。また、「メッセージ＊回」とは、後述するように本実施の形態に係る携帯電話機では予めメッセージ音声を録音することができるようになっており、それを「＊回」の所に表された回数だけ被呼者側に送信するための設定である。この「メッセージ＊回」を含む設定を利用すれば、バスや電車の中等、携帯電話機での通話を控えるべき状況でも、簡単な肉声メッセージを相手先に送ることができる。
【００３１】
　さらに、「拡声モードＯＮ→メッセージ＊回」は、オートリダイアルでの通話接続後、拡声モードがＯＮになり、それとともに予め録音したメッセージが自動的に「＊回」で示される回数だけ送信されるための設定である。「メッセージ＊回→終話」は、予め録音したメッセージを＊印で指定された回数だけ自動送信した後、自動的に回線接続を切断するための設定である。このように自動接続断を設定すれば、通話時間を短縮できるようになる。「メッセージ＊回→伝言メモ録→終話」は、予め録音したメッセージを「＊回」で指定される回数だけ自動送信した後、相手側からの音声を処理回路２８を介してメモリ３０に録音しておき、録音が終わると自動的に通話接続を切断するための設定である。こうすれば、送信したメッセージに対する返事を録音しておくことができる。また、「通常通話」とは、拡声モード等を利用せず、通常のスピーカ音量及びマイク感度にて通話接続を維持するための設定である。
【００３２】
　次に、メッセージ音声送信のために予めメッセージを録音するための際の手順について説明する。
【００３３】
　この場合、機能選択キー２６を垂直押しするとともに、操作部３２のテンキーにより、例えば「４０５」等のメッセージ録音のためのメニュー群に対して割り付けられた番号を押下する。すると、表示部１２には、図５（ａ）又は図５（ｂ）のような画面が現れる。同図（ａ）は、未だメッセージが録音されていない場合の表示例である。また、同図（ｂ）は、既に録音されたメッセージがある場合に表示される画面であり、既に録音されたメッセージの録音日時が最終段に表示されている。同図（ａ）又は（ｂ）に示される画面において、更に機能選択キー２６を垂直押しすれば、同図（ｃ）に示される画面が表示部１２に現れる。この画面は、メッセージの録音開始をユーザに促すための画面である。これを受けて、操作部３２に含まれる「メモ」ボタン（図示せず）を１秒以上押下することにより、同図（ｄ）に示されるように、メッセージ録音中である旨を示すための画面が表示部１２に現れ、メッセージ録音が開始される。メッセージ録音は、マイク１４により音声をピックアップし、それを処理回路２８が符号化してメモリ３０に格納することにより行われる。
【００３４】
　そして、所定の録音時間が経過すると、録音が自動的に停止され、「ピー」という終了音とともに同図（ｅ）に示されるメッセージが表示部１２に表示される。そして、録音したメッセージがスピーカ１０より再生出力される。なお、メッセージ録音中に再度「メモ」ボタンを押下すれば、録音はその時点で終了される。また、メッセージを消去するには、録音中に「クリア」ボタン等を押下すればよい。その後、同図（ｆ）の画面が表示部１２に現れ、それが所定時間続いた後、通常のメニュー画面に戻る。
【００３５】
　次に、オートリダイアル発信を行う際の動作について説明する。
【００３６】
　オートリダイアル発信を行う場合には、ユーザはオートリダイアル発信ボタン２２を２秒以上押下する。上述したようにオートリダイアル発信ボタン２２の押下が２秒未満であれば、オートリダイアル発信は行われず、代わりにオートリダイアル発信に関する情報、具体的にはオートリダイアル発信の具体的な設定内容が表示部１２に表示される。オートリダイアル発信ボタン２２を２秒以上押下した場合には、図６（ａ）に示されるように、オートリダイアル発信を開始する旨のメッセージを含む画面が表示部１２に表示される。それとともに、処理回路２８はバイブレータ１１に対して電力を供給し、約１秒間に亘り携帯電話機を振動させる。これにより、ユーザはオートリダイアル発信が確かに開始されたことを確認することができる。
【００３７】
　その後、処理回路２８では、表示部１２に対して同図（ｂ）に示されるように電話番号表示を表示部１２に対して行うとともに、その番号に対する発呼を行う。この場合の発信先電話番号は、上述したようにメモリ３０に設けられた所定記憶領域に登録された電話番号である。この発呼に対し、話中、或いは１分間の呼出によっても相手先が応答しない場合等、通話接続が成功しなかった場合、所定時間に亘り発呼を待機する。待機中は、同図（ｃ）に示されるように、残り発信数が表示される。リダイアルは、最大で、接続手順設定メニューによって設定された回数だけ行われる。
【００３８】
　なお、本携帯電話機で特徴的なことは、この待機中にオートリダイアル発信ボタンを押下することにより、直ちに前記所定記憶領域に登録された電話番号への再発呼が行われる点である。こうすれば、ユーザは仕様上（法律上）の制限を受けず、自由に再発呼が行えるようになる。
【００３９】
　次に、このようにしてリダイアルを繰り返し、相手先に対して通話接続が成功すると、バイブレータ１１が約２秒間振動する。このように、通話接続が成功した場合にバイブレータ１１を振動させるようにすれば、ユーザは表示部１２を確認することなく、速やかに接続の完了を確認することができる。
【００４０】
　電話がつながった後は、予め設定した内容に従い動作が行われる。例えば、「拡声モードＯＮ→メッセージ３回」が予め設定されている場合には、同図（ｄ）に示される画面が表示部１２に示される。この場合、メモリ３０に予め録音されたメッセージが、処理回路２８及びアンテナ２４を介して相手側に対して３回、所定間隔で送出され、表示部１２にはメッセージ送出中である旨が表示される。また、拡声モードＯＮが設定されているため、同図（ｄ）のように表示部１２の３段目にはスピーカの絵柄が表示され、スピーカ１０の音量及びマイク１４の感度が上昇する。そして、メッセージの送出等の通話中動作を終えれば、同図（ｅ）に示されるように通話中の旨が表示部１２に表示される。これにより通常通りの通話が可能となる。なお、拡声モードがＯＮにされている場合には、携帯電話機を手に持たずとも相手先と通話ができるようになる。
【００４１】
　通話を終えるためには、通常と同様オンフックボタンを押下すればよい。また、予め「終話」を設定している場合には、自動的に通話接続が切断されるようになる。これにより、無駄な通話時間をなくすことができる。
【００４２】
（３）使用例
　本実施の形態に係る携帯電話機の使用例について説明する。たとえば、通話中動作として「メッセージ音声１回→終話」を設定しておき、相手先電話番号として自宅の電話番号を設定しておけば、仕事帰り等にラッシュアワーのホーム等で、周囲の人に迷惑をかけずに、携帯電話機をポケットに入れたまま、片手で自宅にメッセージを送ることができる。この際、本携帯電話機では、発信動作に入ったことや自宅で誰かが電話を取ったことがバイブレータの振動で確認できる。
【００４３】
　さらに、本実施の形態に係る携帯電話機はチケット予約等に対する利用にも好適である。この場合、発信相手先としてチケット予約センターの電話番号を予め設定するとともに、通話中の動作として「通常通話」を設定しておく。こうすれば、オートリダイアル発信ボタン２２を長押しするだけで、自動的にチケット予約センターに通話接続がなされるようになる。そして、チケット予約センターへの接続が成功すればバイブレータ１１あるいはスピーカ１０によりユーザが電話がつながった旨を知ることができる。このため、それまでの間ユーザは他の作業に没頭することができる。
【００４４】
　さらに、本実施の形態に係る携帯電話機では、オートリダイアルにおける発信待機中にオートリダイアル発信ボタン２２を再度押下するだけで、ただちに相手先への発呼を行うことができるため、携帯電話機の仕様上（法律上）の制限に縛られず、何度でも自由にワンアクションにて相手先に電話ができるようになる。このため、チケット予約等に対する利用にも好適である。
【００４５】
　以上説明した本実施の形態に係る携帯電話機によれば、従来のオートリダイアル発信が緊急時等の限られた用途にしか利用されないのに対し、通話中動作を任意に設定することにより、種々の用途に利用することができるようになる。また、携帯電話機はポケットや鞄に入れて持ち運ばれることが多いが、本実施の形態に係る携帯電話機はポケットや鞄に入れたままでもユーザがその動作を確認できるため、混雑時や緊急時等にも好適に用いることができる。さらに、オートリダイアル発信ボタン２２が携帯電話機の筐体の隅部に配置されているため、ポケットや鞄の中に携帯電話機が入れられている場合や、暗がり等でも、手探りで容易にオートリダイアル発信を行うことができるようになる。
【００４６】
　以上説明した本実施の形態に係る携帯電話機は種々の変形実施が可能である。
【００４７】
　たとえば、通話中の動作については、以上の説明では６つの態様のみを示したが、さらに他の態様をメニューに加えてもよい。また、オートリダイアル先の電話番号は予め携帯電話機内部のメモリ３０に格納するようにしていたが、その他、発呼済みの電話番号を検索する周知の機能（リダイアルボタン）や電話帳により相手先の電話番号を検索し、それに続いてオートリダイアル発信ボタン２２を押下することにより、ただちにオートリダイアル発信動作に移行するようにしてもよい。これにより、すでに電話を掛けたことのある家族やチケット予約センター、あるいは近親者等に対して、簡単にオートリダイアル発信を行うことができるようになる。
【図面の簡単な説明】
【００４８】
【図１】本実施の形態に係る携帯電話機の外観を示す図である。
【図２】本発明の実施の形態に係る携帯電話機の内部回路を示す図である。
【図３】リダイアル回数の設定手順を説明する図である。
【図４】通話中の動作を設定する手順を説明する図である。
【図５】通話接続後に相手方に送信すべきメッセージを録音するための手順を説明する図である。
【図６】オートリダイアル発信を行う際の手順について説明する図である。
【符号の説明】
【００４９】
　１０　スピーカ、１１　バイブレータ、１２　表示部、１４　マイク、１６　オフフックボタン、１８　オンフックボタン、２０　クリアボタン、２２　オートリダイアル発信ボタン、２４　アンテナ、２６　機能選択キー、２８　処理回路、３０　メモリ、３２　操作部。
【図１】
2004048790.tif 000003
【図２】
2004048790.tif 000004
【図３】
2004048790.tif 000005
【図４】
2004048790.tif 000006
【図５】
2004048790.tif 000007
【図６】
2004048790.tif 000008